(57)【要約】【課題】  検出されているカップの大きさを容易に認識することができ、安心して飲料の供給を行うことができる飲料ディスペンサを提供する。【解決手段】  飲料をカップに供給する飲料ディスペンサ１において、カップの大きさを検出するためのカップセンサ１３Ａ、１４Ａ、１５Ａと、これらセンサの出力に基づいてカップへの飲料供給量を制御する制御装置と、センサ状態ランプ２３Ａ、２４Ａ、２５Ａとを備え、制御装置は、カップセンサ１３Ａ、１４Ａ、１５の出力に基づき、カップの大きさをセンサ状態ランプ２３Ａ、２４Ａ、２５Ａにて表示する。【選択図】図１
2005225514.tif 000002
【特許請求の範囲】
【請求項１】
飲料をカップに供給する飲料ディスペンサにおいて、
前記カップの大きさを検出するためのセンサと、該センサの出力に基づいて前記カップへの飲料供給量を制御する制御手段と、表示手段とを備え、
前記制御手段は、前記センサの出力に基づき、前記カップの大きさを前記表示手段にて表示することを特徴とする飲料ディスペンサ。
【請求項２】
飲料をカップに供給する飲料ディスペンサにおいて、
前記カップの大きさを検出するためのセンサと、該センサの出力に基づいて前記カップへの飲料供給量を制御する制御手段と、表示手段とを備え、
前記制御手段は、前記センサの出力に基づき、当該センサの状態を前記表示手段にて表示することを特徴とする飲料ディスペンサ。
【請求項３】
飲料をカップに供給する飲料ディスペンサにおいて、
前記カップの大きさを検出するためのセンサと、該センサの出力に基づいて前記カップへの飲料供給量を制御する制御手段と、表示手段とを備え、
前記制御手段は、前記センサの出力に基づき、前記カップの大きさを前記表示手段にて表示する第１の表示モードと、前記センサの状態を前記表示手段にて表示する第２の表示モードとを切り換えて実行することを特徴とする飲料ディスペンサ。
【請求項４】
飲料をカップに供給する飲料ディスペンサにおいて、
前記カップの大きさを検出するためのセンサと、飲料供給を指示するためのボタンと、該ボタンの操作に基づき、前記センサの出力に基づいた量の飲料を前記カップに供給する制御手段と、告知手段とを備え、
前記制御手段は、前記カップへの飲料供給の終了後、前記センサが継続して前記カップの存在を検出している状態で前記ボタンが操作された場合、飲料供給を禁止して前記告知手段により飲料供給の禁止状態を告知することを特徴とする飲料ディスペンサ。
【請求項５】
前記制御手段は、所定のモード切換により、前記カップへの飲料供給の終了後、前記センサが継続して前記カップの存在を検出している状態で前記ボタンが操作された場合、前記カップに飲料を追加して供給することを特徴とする請求項４の飲料ディスペンサ。
【請求項６】
飲料をカップに供給する飲料ディスペンサにおいて、
前記カップの大きさを検出するためのセンサと、該センサの出力に基づいて前記カップへの飲料供給量を制御する制御手段と、告知手段とを備え、
前記センサは上下に複数設けられると共に、前記制御手段は、前記各センサの出力に基づき、論理的に異常な場合、飲料供給を禁止して前記告知手段により飲料供給の禁止状態を告知することを特徴とする飲料ディスペンサ。
【請求項７】
飲料をカップに供給する飲料ディスペンサにおいて、
前記カップの大きさを検出するためのセンサと、該センサの出力に基づいて前記カップへの飲料供給量を制御する制御手段と、告知手段とを備え、
前記制御手段は、前記カップへの飲料供給の終了後、前記センサが継続して前記カップの存在を検出している場合、前記告知手段により告知することを特徴とする飲料ディスペンサ。
【請求項８】
飲料をカップに供給する飲料ディスペンサにおいて、
前記カップの大きさを検出するための光センサと、該光センサの出力に基づいて前記カップへの飲料供給量を制御する制御手段と、前記光センサへの飲料の付着を防止するための透光性のスプラッシュプレートとを備え、
前記光センサの前面に光透過率の低い材料を密着して設けたことを特徴とする飲料ディスペンサ。
【請求項９】
飲料をカップに供給する飲料ディスペンサにおいて、
前記カップの大きさを検出するための光センサと、該光センサの出力に基づいて前記カップへの飲料供給量を制御する制御手段と、前記光センサへの飲料の付着を防止するための透光性のスプラッシュプレートとを備え、
前記光センサの発光量を制限したことを特徴とする飲料ディスペンサ。
【発明の詳細な説明】
【技術分野】
【０００１】
本発明は、異なるカップの大きさに応じて所定量の飲料の供給を行う飲料ディスペンサに関するものである。
【背景技術】
【０００２】
従来より、液体原料タンクに充填された液体原料と希釈水や炭酸水などの希釈液とを混合した飲料をカップに供給する飲料ディスペンサでは、予め規定されたカップの大きさに応じて飲料の供給量が決定されている。この場合、飲料ディスペンサの前面には、各飲料ごとにそれぞれ複数のカップ選択ボタンが設けられている。そして、使用者は、カップの大きさに応じて、所望の飲料に応じたカップ選択ボタンを選択することで、カップの大きさに応じた飲料の供給を行うことができる。
【０００３】
しかし、係る構成では、限られた飲料ディスペンサのコントロールパネルに飲料の種類に応じたカップ選択ボタンを設けることから、選択ボタンの大きさが小さくなり、また、パネル全体のボタン数が増え、使用性の悪化を招く問題があった。
【０００４】
そこで、上記課題を解決するため、従来では、各カップの大きさに対応する複数の光反射型センサを設け、使用者が飲料の選択を行うことで、カップの大きさに応じた飲料の供給を行うことができる装置が開発されている（特許文献１参照。）。
【０００５】
また、カップの大きさを検出するセンサを備えた飲料ディスペンサには、上記センサに飛散する飲料がかかりセンサが汚れることを防止するためにセンサの前面にスプラッシュプレートを設けていた。これにより、センサの汚れによる誤作動の抑制を図っていた。
【特許文献１】特開２００３−２６２９３号公報
【発明の開示】
【発明が解決しようとする課題】
【０００６】
しかしながら、従来の飲料ディスペンサでは、飲料の供給を行うカップの大きさを検出するためのセンサは設けられていても、検出されたカップの大きさを表示する手段を備えていないものであった。そのため、カップをセットしてから飲料の供給が終了するまで、センサが最適なカップを検出したのかどうかが、使用者に分からず不安感を与えていた。また、センサの検出状態を表示する手段を備えていないため、センサの誤検出が発生した場合でも、どのセンサに不具合が生じたのかを特定するのに多くの時間が必要となり、使用性が悪いという問題があった。
【０００７】
また、上述した如き従来例では、センサとカップ載置位置との間にはスプラッシュプレートが設けられていたが、センサは前面に設けられたスプラッシュプレートを更に前方に載置されるカップよりも先に検出してしまうため、スプラッシュプレートのセンサ部分に穴を形成する必要があった。
【０００８】
そのため、スプラッシュプレートの加工上のコストの高騰及び視覚的デザイン性の低下を招く問題があった。更には、センサ部分に穴が形成されていることから、使用者にセンサ位置が直ぐに判別されてしまい、悪戯される危険性があった。
【課題を解決するための手段】
【０００９】
請求項１の発明の飲料ディスペンサは、飲料をカップに供給するものであって、カップの大きさを検出するためのセンサと、該センサの出力に基づいてカップへの飲料供給量を制御する制御手段と、表示手段とを備え、制御手段は、センサの出力に基づき、カップの大きさを表示手段にて表示するものである。
【００１０】
請求項２の発明の飲料ディスペンサは、飲料をカップに供給するものであって、カップの大きさを検出するためのセンサと、該センサの出力に基づいてカップへの飲料供給量を制御する制御手段と、表示手段とを備え、制御手段は、センサの出力に基づき、当該センサの状態を表示手段にて表示するものである。
【００１１】
請求項３の発明の飲料ディスペンサは、飲料をカップに供給するものであって、カップの大きさを検出するためのセンサと、該センサの出力に基づいてカップへの飲料供給量を制御する制御手段と、表示手段とを備え、制御手段は、センサの出力に基づき、カップの大きさを表示手段にて表示する第１の表示モードと、センサの状態を表示手段にて表示する第２の表示モードとを切り換えて実行するものである。
【００１２】
請求項４の発明の飲料ディスペンサは、飲料をカップに供給するものであって、カップの大きさを検出するためのセンサと、飲料供給を指示するためのボタンと、該ボタンの操作に基づき、センサの出力に基づいた量の飲料をカップに供給する制御手段と、告知手段とを備え、制御手段は、カップへの飲料供給の終了後、センサが継続してカップの存在を検出している状態でボタンが操作された場合、飲料供給を禁止して告知手段により飲料供給の禁止状態を告知するものである。
【００１３】
請求項５の発明の飲料ディスペンサは、上記発明において、制御手段は、所定のモード切換により、カップへの飲料供給の終了後、センサが継続してカップの存在を検出している状態でボタンが操作された場合、カップに飲料を追加して供給するものである。
【００１４】
請求項６の発明の飲料ディスペンサは、飲料をカップに供給するものであって、カップの大きさを検出するためのセンサと、該センサの出力に基づいてカップへの飲料供給量を制御する制御手段と、告知手段とを備え、センサは上下に複数設けられると共に、制御手段は、各センサの出力に基づき、論理的に異常な場合、飲料供給を禁止して告知手段により飲料供給の禁止状態を告知するものである。
【００１５】
請求項７の発明の飲料ディスペンサは、飲料をカップに供給するものであって、カップの大きさを検出するためのセンサと、該センサの出力に基づいてカップへの飲料供給量を制御する制御手段と、告知手段とを備え、制御手段は、カップへの飲料供給の終了後、センサが継続してカップの存在を検出している場合、告知手段により告知するものである。
【００１６】
請求項８の発明の飲料ディスペンサは、飲料をカップに供給するものであって、カップの大きさを検出するための光センサと、該光センサの出力に基づいてカップへの飲料供給量を制御する制御手段と、光センサへの飲料の付着を防止するための透光性のスプラッシュプレートとを備え、光センサの前面に光透過率の低い材料を密着して設けたものである。
【００１７】
請求項９の発明の飲料ディスペンサは、飲料をカップに供給するものであって、カップの大きさを検出するための光センサと、該光センサの出力に基づいてカップへの飲料供給量を制御する制御手段と、光センサへの飲料の付着を防止するための透光性のスプラッシュプレートとを備え、光センサの発光量を制限したものである。
【発明の効果】
【００１８】
請求項１の発明では、飲料をカップに供給する飲料ディスペンサにおいて、カップの大きさを検出するためのセンサと、このセンサの出力に基づいてカップへの飲料供給量を制御する制御手段と、表示手段とを備え、制御手段は、センサの出力に基づき、カップの大きさを表示手段にて表示するようにしたので、検出されているカップの大きさを容易に確認することができるようになり、安心感が向上すると共に、誤った大きさとして検出されている場合にも、容易に判別できるようになる。
【００１９】
請求項２の発明では、飲料をカップに供給する飲料ディスペンサにおいて、カップの大きさを検出するためのセンサと、このセンサの出力に基づいてカップへの飲料供給量を制御する制御手段と、表示手段とを備え、制御手段は、センサの出力に基づき、当該センサの状態を表示手段にて表示するようにしたので、センサの故障や検出状態の異常を容易に確認することができるようになる。
【００２０】
請求項３の発明では、飲料をカップに供給する飲料ディスペンサにおいて、カップの大きさを検出するためのセンサと、このセンサの出力に基づいてカップへの飲料供給量を制御する制御手段と、表示手段とを備え、制御手段は、センサの出力に基づき、カップの大きさを表示手段にて表示する第１の表示モードと、センサの状態を表示手段にて表示する第２の表示モードとを切り換えて実行するので、第１の表示モードでは、検出されているカップの大きさを容易に確認することができるようになり、安心感が向上すると共に、誤った大きさとして検出されている場合にも、容易に判別できるようになると共に、第２の表示モードでは、センサの故障や検出状態の異常を容易に確認することができるようになる。そして、同一の表示手段にて両モードを切り換えて実行するので、部品点数の削減も図ることができる。
【００２１】
請求項４の発明では、飲料をカップに供給する飲料ディスペンサにおいて、カップの大きさを検出するためのセンサと、飲料供給を指示するためのボタンと、このボタンの操作に基づき、センサの出力に基づいた量の飲料をカップに供給する制御手段と、告知手段とを備え、制御手段は、カップへの飲料供給の終了後、センサが継続してカップの存在を検出している状態でボタンが操作された場合、飲料供給を禁止して告知手段により飲料供給の禁止状態を告知するので、規定量の飲料供給の終了後に不正に飲料が追加供給されてしまう不都合を未然に防止することができるようになる。
【００２２】
請求項５の発明では、制御手段は、所定のモード切換により、カップへの飲料供給の終了後、センサが継続してカップの存在を検出している状態でボタンが操作された場合、カップに飲料を追加して供給するようにしたので、使用状況に応じては追加供給も可能とし、使用性を向上させることができる。
【００２３】
請求項６の発明では、飲料をカップに供給する飲料ディスペンサにおいて、カップの大きさを検出するためのセンサと、このセンサの出力に基づいてカップへの飲料供給量を制御する制御手段と、告知手段とを備え、センサは上下に複数設けられると共に、制御手段は、各センサの出力に基づき、論理的に異常な場合、飲料供給を禁止して告知手段により飲料供給の禁止状態を告知するようにしたので、センサの故障や汚れによる検出状態の異常をより確実に判別できるようになり、誤った飲料供給を未然に回避して、信頼性を向上させることができるようになる。
【００２４】
請求項７の発明では、飲料をカップに供給する飲料ディスペンサにおいて、カップの大きさを検出するためのセンサと、このセンサの出力に基づいてカップへの飲料供給量を制御する制御手段と、告知手段とを備え、制御手段は、カップへの飲料供給の終了後、センサが継続してカップの存在を検出している場合、告知手段により告知するようにしたので、カップの取り忘れの発生を解消することができるようになる。
【００２５】
請求項８の発明では、飲料をカップに供給する飲料ディスペンサにおいて、カップの大きさを検出するための光センサと、この光センサの出力に基づいてカップへの飲料供給量を制御する制御手段と、光センサへの飲料の付着を防止するための透光性のスプラッシュプレートとを備え、この光センサの前面に光透過率の低い材料を密着して設けたので、スプラッシュプレートに光センサに対応した孔を形成すること無く、光センサがカップを検出することができるようになり、センサの汚れ防止効果を向上させ、且つ、悪戯の発生も未然に防止することができるようになる。
【００２６】
請求項９の発明では、飲料をカップに供給する飲料ディスペンサにおいて、カップの大きさを検出するための光センサと、この光センサの出力に基づいてカップへの飲料供給量を制御する制御手段と、光センサへの飲料の付着を防止するための透光性のスプラッシュプレートとを備え、光センサの発光量を制限したので、スプラッシュプレートに光センサに対応した孔を形成すること無く、光センサがカップを検出することができるようになり、センサの汚れ防止効果を向上させ、且つ、悪戯の発生も未然に防止することができるようになる。
【発明を実施するための最良の形態】
【００２７】
本発明は従来の技術的課題を解決するために成されたものであり、検出されているカップの大きさを容易に認識することができ、安心して飲料の供給を行うことができる飲料ディスペンサを提供する。以下、本実施例の飲料ディスペンサ１について図１乃至図３を参照して説明する。図１は本実施例の飲料ディスペンサ１の正面構成図、図２は同じく飲料ディスペンサ１の側面構成図、図３は制御装置３の制御ブロック図を示している。
【００２８】
本実施例の飲料ディスペンサ１は、液体原料タンクに充填された液体原料を送出して希釈水や炭酸水などの希釈液と混合して飲料としてカップに供給するものであり、断面略コ字状を呈する本体２により構成されている。本体２の上壁前面には詳細は後述するコントロールパネル１０が設けられており、下壁には供給された飲料を受容するためのカップをセットするカップ設置台１１が設けられている。
【００２９】
飲料ディスペンサ１の本体２内には、内部に保冷庫冷却コイルを備える図示しない保冷庫と、保冷庫冷却コイルに冷媒を送る図示しない冷却器と、保冷庫冷却コイルで冷やした冷気を保冷庫内に循環させる図示しない冷気送風装置が設けられている。
【００３０】
また、この本体２には、図示しない各液体原料タンクごとに接続されたシロップ流路が構成される。このシロップ流路には流量を調節するフローレギュレータ及び詳細は後述する制御装置３からの信号で液体原料供給をオン、オフする働きをする飲料吐出電磁弁４を備えたポストミックスバルブ５が連通されると共に、図示しない希釈液流路が連通され、ポストミックスバルブ５に供給された液体原料と希釈液はノズルで混合されて飲料となり供給される。複数のポストミックスバルブ５のそれぞれを示す図１のポストミックスバルブ５Ａ、５Ｂは、上壁下面に設けられており、供給した飲料がカップ設置台１１上にセットされた１つのカップ内に注がれるように配設されている。図中６（６Ａ、６Ｂ）は、ポストミックスバルブ５（５Ａ、５Ｂ）のノズルカバーである。
【００３１】
上壁と下壁の間に位置する本体２の前面、即ちポストミックスバルブ５から供給された飲料が注がれるカップ位置には、上下に渡ってそれぞれ所定の間隔を存してカップセンサ１３、１４、１５が設けられている。カップセンサ１３、１４、１５は、例えば、光の発光部と受光部を備えた光学側距方式の光反射型センサ（光センサ）であり、発光部からの光がカップの側面に当たり反射すると、その反射した光を受光部が受け信号を出力するものである。カップセンサ１３、１４、１５の受光部が反射された光を受けて信号を出力しているときはＬサイズのカップＬ、カップセンサ１４、１５の受光部が反射された光を受けて信号を出力しているときはＭサイズのカップＭ、カップセンサ１５の受光部が反射された光を受けて信号を出力しているときはＳサイズのカップＳがセットされているとして制御装置３が制御するようにしている。尚、複数のカップセンサ１３、１４、１５のそれぞれを示す図１のカップセンサ１３Ａ、１４Ａ、１５Ａ、１３Ｂ、１４Ｂ、１５Ｂは、それぞれポストミックスバルブ５Ａ、５Ｂに対応してカップ設置台１１にセットされたカップを検出するように設けられている。
【００３２】
また、本実施例では、各カップセンサ１３、１４、１５が設けられる上壁と下壁の間の本体２前面には、光透過率の低い素材にて構成されたスモーク板１７がカップセンサ１３、１４、１５に密着して設けられている。そして、このスモーク板１７の前面には、図４及び図５に示すようなスプラッシュプレート１８が着脱自在に取り付けられている。
【００３３】
このスプラッシュプレート１８は、ポストミックスバルブ５から飲料が吐出された際に、飲料がカップ外に飛び散り、上壁と下壁の間の本体２前面、特にカップセンサ１３、１４、１５を汚すのを防止する遮蔽板であり、本実施例では光透過性の透明板により構成されている。また、スプラッシュプレート１８は図５の断面図に示すように上端が所定寸法だけ後退した後、更に上方に延出した上端部１８Ａが構成されており、この上端部１８Ａには、本体２の前面に設けられた吊下部材１９に引っかけて吊下するための係止孔１８Ｂ、１８Ｂが形成されている。これにより、スプラッシュプレート１８が汚れた場合にも簡単に取り外して洗浄を行うことができ、利便性が向上する。
【００３４】
ここで、本実施例において、スプラッシュプレート１８の後方であって、カップセンサ１３、１４、１５の前面に光透過率の低いスモーク板１７を密着して取り付けているのは、光反射型センサが発光した信号を受光するには検出対象物から数ｍｍ程度離間しないと検出できない特性を利用したものである。即ち、カップセンサ１３、１４、１５にスモーク板１７を密着させることで、スモーク板１７の検出を回避することができる。更に、スモーク板１７に光透過率の低いものを用いているのは、光学側距方式の光反射型センサは、発光量を減少させることで、発光した信号を受光するまでの距離をのばすことができる特性を利用したものである。即ち、スモーク板１７の光透過率を低くすることで、スモーク板１７を通過する光量を減衰することができ、これによって、スモーク板１７の前面にスプラッシュプレート１８が取り付けられていても当該スプラッシュプレート１８を検出することなく、その先にあるカップを正確に検出することが可能となる。
【００３５】
これにより、スプラッシュプレート１８に各センサ１３、１４、１５に対応した孔を形成すること無く、センサ１３、１４、１５がカップを検出することができるようになり、スプラッシュプレート１８の加工性を向上させることができると共に、センサ１３、１４、１５の汚れ防止効果を向上させることができるようになる。
【００３６】
尚、本実施例では、スプラッシュプレート１８を透明板により構成し、光透過率の低いスモーク板１７を当該スプラッシュプレート１８とセンサ１３、１４、１５の間に設けているが、これ以外にも、センサ１３、１４、１５自体の発光量を制限することで同様の効果を得ることができ、センサ１３、１４、１５のカップ検出の精度の向上を図ってもよい。
【００３７】
また、本実施例では、センサ１３、１４、１５の前面に光透過率の低いスモーク板１７が取り付けられていることで、センサ位置が容易に判別できなくなり、当該飲料ディスペンサ１が所謂、フリードリンクコーナーなどに設置された場合であっても悪戯される不都合を未然に防止することができるようになる。
【００３８】
他方、本体２内には、図示しない冷却水槽が設けられており、当該水槽内の冷却水は、前記冷却器で冷却されている。そして、この冷却水は図示しないカーボネータ（炭酸水製造装置）内の炭酸水や図示しない水冷却コイル内の希釈水等の希釈液を冷やす働きをしている。カーボネータに接続された炭酸水流路及び水冷却コイル出口側には流量を調節する図示しないフローレギュレータが接続され、その先には供給する飲料の種類（例えば炭酸飲料、無炭酸飲料等）に合わせて配設されたポストミックスバルブが連通され、ノズルで液体原料と希釈液が混合されて飲料となりカップに供給される構成とされている。
【００３９】
次に、本体２上壁前面に設けられたコントロールパネル１０について説明する。コントロールパネル１０には、飲料が吐出されるポストミックスバルブ５に対応して、供給する飲料の種類を表示する飲料表示ラベル２１が取り付けられていると共に、その飲料表示ラベル２１の下方には、対応する飲料の供給を指示する飲料選択ボタン２２が設けられている。尚、複数の飲料表示ラベル２１及び飲料選択ボタン２２のそれぞれを示す図１の飲料表示ラベル２１Ａ、２１Ｂ及び飲料選択ボタン２２Ａ、２２Ｂは、当該飲料の吐出を行うポストミックスバルブ５Ａ、５Ｂの上方に対応して設けられている。
【００４０】
更に、コントロールパネル１０には、それぞれのカップセンサ１３Ａ、１４Ａ、１５Ａ及び１３Ｂ、１４Ｂ、１５Ｂに対応してセンサの検出状態を表示するセンサ状態ランプ２３Ａ、２４Ａ、２５Ａ、２３Ｂ、２４Ｂ、２５Ｂが設けられている。特に、本実施例では、コントロールパネル１０に各大きさ（Ｌ、Ｍ、Ｓサイズ）のカップをそれぞれのポストミックスバルブ５に対応して表示し、カップの各大きさに対応してセンサ状態ランプ２３Ａ、２４Ａ、２５Ａ、２３Ｂ、２４Ｂ、２５Ｂを配置している。これにより、センサ状態ランプ２３Ａ、２４Ａ、２５Ａ、２３Ｂ、２４Ｂ、２５Ｂを検出したカップの大きさとして表示することが可能となる。
【００４１】
図１中２６は、飲料供給の禁止状態を告知する供給停止ランプである。また、本体２には、例えば図２に示すような入力端末３０が接続されており、これにより、詳細は後述するようなモード切替及び各カップの大きさごとの飲料吐出電磁弁４（ポストミックスバルブ５）の開放時間を設定することが可能となる。
【００４２】
尚、上記飲料選択ボタン２２（２２Ａ、２２Ｂ）、カップセンサ１３、１４、１５（１３Ａ、１４Ａ、１５Ａ、１３Ｂ、１４Ｂ、１５Ｂ）、センサ状態ランプ２３Ａ、２４Ａ、２５Ａ、２３Ｂ、２４Ｂ、２５Ｂ、供給停止ランプ２６及び飲料吐出電磁弁４は、図３に示す如く制御装置３に接続されており、各モードに対応して制御される。また、この制御装置３には、記憶手段としてのメモリ２７及びタイマ２８が接続されているおり、センサ１３、１４、１５において検出されたカップの大きさに応じて予め決定された供給量に応じた時間をメモリ２７に記憶し、飲料選択ボタン２２が操作された際に、タイマ２８に基づき飲料吐出電磁弁４をメモリ２７に記憶していた時間だけ開放する。尚、制御装置３には、上述した如き入力端末３０（図示せず）も接続されており、これにより、上記供給時間の設定や記憶状態の表示を行うことが可能となる。
【００４３】
以上の構成により、飲料の供給動作について説明する。尚、冷却器により冷却水槽内の冷却水は冷却されていると共に、保冷庫に設けられた保冷庫冷却コイルに冷媒を循環し、保冷庫冷却コイルにより冷却された冷気を冷気送風装置により保冷庫内に循環送風することで、保冷庫内は冷却されているものとする。係る状態で、任意の大きさのカップをカップ設置台１１にセットし、何れかの飲料選択ボタン２２を操作する。ここでは、ポストミックスバルブ５Ａから供給される飲料を例として説明する。飲料選択ボタン２２Ａの操作により、制御装置３はカップセンサ１３Ａ、１４Ａ、１５Ａによりカップの大きさを検出する。セットされたカップがカップＬである場合には、全ての高さに設けられるカップセンサ１３Ａ、１４Ａ、１５Ａがカップを検出する。
【００４４】
このとき、制御装置３により、コントロールパネル１０のセンサ状態ランプの表示状態を検出カップの大きさを表示する第１の表示モードとされている場合には、カップＬに該当するセンサ状態ランプ２３Ａのみが点灯する。セットされたカップがカップＭである場合には、カップセンサ１４Ａと１５Ａがカップを検出し、第１の表示モードでは、センサ状態ランプ２４Ａのみが点灯する。セットされたカップがカップＳである場合には、カップセンサ１５Ａのみがカップを検出し、第１の表示モードでは、センサ状態ランプ２５Ａのみが点灯する。
【００４５】
これにより、各カップセンサ１３Ａ、１４Ａ、１５Ａの出力に基づき、カップの大きさをセンサ状態ランプ２３Ａ、２４Ａ、２５Ａにて表示することができるようになり、使用者は、検出されているカップの大きさを容易に確認することができ、安心感が向上すると共に、誤った大きさとして検出されている場合にも、容易に判別できるようになる。
【００４６】
他方、制御装置３により、コントロールパネル１０のセンサ状態ランプの表示状態をカップセンサの検出状態を表示する第２の表示モードとされている場合には、セットされたカップがカップＬである場合には、カップセンサ１３Ａ、１４Ａ、１５Ａの全てがカップを検出することからセンサ状態ランプ２３Ａ、２４Ａ、２５Ａのすべてが点灯する。セットされたカップがカップＭである場合には、カップセンサ１４Ａ、１５Ａがカップを検出することからセンサ状態ランプ２４Ａ、２５Ａが点灯する。セットされたカップがカップＳである場合には、カップセンサ１５Ａのみがカップを検出することからセンサ状態ランプ２５Ａのみが点灯する。
【００４７】
これにより、各カップセンサ１３Ａ、１４Ａ、１５Ａの出力に基づき、当該センサの状態をセンサ状態ランプ２３Ａ、２４Ａ、２５Ａにて表示することで、カップセンサの汚れにより信号が検出された場合やセンサ自体の不良により何れかが正常に作動しない場合に、現在のセンサ状態をそれぞれに対応したセンサ状態ランプに出力することで、現在のセンサ状態を把握することができるので、容易に不具合が生じているカップセンサを特定することができる。
【００４８】
また、本実施例では、センサ状態ランプ２３Ａ、２４Ａ、２５Ａの表示方法は制御装置３によって上述した如き第１の表示モードと第２の表示モードに切り換えることが可能となる。そのため、同一の表示手段にて異なる表示目的を実行することができ、部品点数の削減も図ることができる。
【００４９】
その後、制御装置３は、検出されたカップの大きさに応じた量の飲料をカップに供給するため、予めカップの大きさごとにメモリ２７に記憶された供給時間だけタイマ２８に基づき対応する飲料吐出電磁弁４（ポストミックスバルブ５）に信号が出力され、飲料吐出電磁弁４を開放すると、液体原料タンクに収納している液体原料とカーボネータからの炭酸水又は希釈水が供給されポストミックスバルブ５内で混合され飲料となり、カップの大きさに応じた量の飲料が供給される。
【００５０】
尚、制御装置３は、何れの表示モードの場合も各カップセンサ１３Ａ、１４Ａ、１５Ａの出力に基づき、論理的に異常な場合、即ち、上側に位置するカップセンサ１３Ａがカップを検出しているにもかかわらず、それよりも下側に位置するカップセンサ１４Ａ、又は１５Ａの何れか若しくは両者がカップを検出していない場合、上側に位置するカップセンサ１４Ａがカップを検出しているにもかかわらず、それよりも下側に位置するカップセンサ１５Ａがカップを検出していない場合には、カップセンサに異常が発生しているものと判断し、ポストミックスバルブ５への信号を出力しないものとする。また、このとき、制御装置３は供給停止ランプ２６を点灯し、使用者へ飲料供給を行わないことを報知する。これにより、カップセンサの故障や汚れによる検出状態の異常をより確実に判別できるようになり、誤った飲料供給を未然に回避して、信頼性を向上させることができるようになる。
【００５１】
また、制御装置３は、カップへの飲料供給の終了後、カップを検出したカップセンサが継続してカップの存在を検出している状態で、飲料選択ボタン２２が操作されても、更なるポストミックスバルブ５への信号を出力しないため、飲料が供給されることはない。また、このとき、制御装置３は供給停止ランプ２６を点灯し、使用者へ飲料供給を行わないことを報知する。これにより、規定量の飲料供給の終了後に不正に飲料が追加供給されてしまう不都合を未然に防止することができるようになる。
【００５２】
また、カップへの規定量の飲料供給の終了後、カップセンサが継続してカップの存在を検出している場合には、上述した如く供給停止ランプ２６を点灯するので、使用者にカップの取り忘れを報知することができる。尚、カップを除去した時点で、供給停止ランプ２６は、消灯する。
【００５３】
尚、本実施例では、供給停止ランプ２６により、使用者への飲料供給停止（禁止）を告知しているが、これと共に、若しくはこれ以外にも、報知ブザーにより使用者への告知を行ってもよいものとする。これにより、より一層、使用者のカップの取り忘れを解消することができるようになる。
【００５４】
但し、制御装置３が入力端末３０により規定量の飲料供給後の追加供給を許容する追加許容モードに切り換えられているときには、制御装置３は、カップへの規定量の飲料供給の終了後、カップセンサが継続してカップの存在を検出している状態で、飲料選択ボタン２２が操作された場合、ボタン２２が操作されている時間だけ、カップに飲料を追加して供給することができる。これにより、使用状況に応じて追加供給が可能となるため、使用性を向上させることができる。
【００５５】
また、制御装置３は、各カップセンサ１３、１４、１５から信号が出力されないとポストミックスバルブ５への信号を出力しないため、カップがセットされていない状態で飲料選択ボタン２２が操作されても飲料が供給されることはない。
【図面の簡単な説明】
【００５６】
【図１】本実施例の飲料ディスペンサの正面構成図である。
【図２】同じく飲料ディスペンサの側面構成図である。
【図３】制御装置の制御ブロック図である。
【図４】スプラッシュプレートの正面図である。
【図５】スプラッシュプレートの断面図である。
【符号の説明】
【００５７】
１    飲料ディスペンサ
２    本体
３    制御装置
４    飲料吐出電磁弁
５、５Ａ、５Ｂ    ポストミックスバルブ
１０  コントロールパネル
１３、１４、１５  カップセンサ
１７  スモーク板
１８  スプラッシュプレート
２２、２２Ａ、２２Ｂ  飲料選択ボタン
２３Ａ、２４Ａ、２５Ａ、２３Ｂ、２４Ｂ、２５Ｂ  センサ状態ランプ
２６  供給停止ランプ
【図１】
2005225514.tif 000003
【図２】
2005225514.tif 000004
【図３】
2005225514.tif 000005
【図４】
2005225514.tif 000006
【図５】
2005225514.tif 000007